(57)【要約】【課題】  表示画面に複数の表示領域を設けることができ、所定の通知情報の受信に応じた表示領域間の操作権の切替えの煩わしさを軽減させることができる、放送受信装置及び放送受信方法を提供する。【解決手段】  実施形態の放送受信装置１は、信号処理部３１、映像音声出力部７１及び制御部８１を有する。信号処理部３１は、放送信号から映像コンテンツ及び所定の通知情報を取得する。映像音声出力部７１は、ユーザの指示入力操作の操作権が割り当てられた第１の表示領域と、前記映像コンテンツを表示する第２の表示領域とを有する表示画面Ｄを出力する。制御部８１は、前記所定の通知情報が取得されたとき、前記第１の表示領域から前記第２の表示領域への前記操作権の変更又は非変更のいずれかを問い合わせるメッセージを前記表示画面Ｄに表示させる。【選択図】図１
2019103062.tif 000002
【特許請求の範囲】
【請求項１】
放送信号から映像コンテンツ及び所定の通知情報を取得する信号処理部と、
ユーザの指示入力操作の操作権が割り当てられた第１の表示領域と、前記映像コンテンツを表示する第２の表示領域とを有する表示画面を出力する映像音声出力部と、
前記所定の通知情報が取得されたとき、前記第１の表示領域から前記第２の表示領域への前記操作権の変更又は非変更のいずれかを問い合わせるメッセージを前記表示画面に表示させる制御部と、
を有する、放送受信装置。
【請求項２】
前記制御部は、前記所定の通知情報が取得され、かつ前記メッセージの表示が有効に設定されているとき、前記メッセージを前記表示画面に表示させる、請求項１に記載の放送受信装置。
【請求項３】
メモリを有し、
前記メモリは、前記メッセージの表示の有効又は無効のいずれか一方を含む設定情報を記憶し、
前記制御部は、前記所定の通知情報が取得され、かつ前記設定情報に基づいて、前記メッセージの表示が有効に設定されていると判定するとき、前記メッセージを前記表示画面に表示させる、
請求項１に記載の放送受信装置。
【請求項４】
メモリを有し、
前記メモリは、前記メッセージの表示対象の前記映像コンテンツを判別する判別情報を記憶し、
前記制御部は、前記判別情報に基づいて、前記映像コンテンツが前記メッセージの表示対象ではないと判定するとき、前記メッセージを非表示にする、
請求項１に記載の放送受信装置。
【請求項５】
前記制御部は、前記第２の表示領域に録画を再生した前記映像コンテンツが出力されているとき、前記メッセージを非表示にする、請求項１に記載の放送受信装置。
【請求項６】
信号処理部により、放送信号から映像コンテンツ及び所定の通知情報を取得し、
映像音声出力部により、ユーザの指示入力操作の操作権が割り当てられた第１の表示領域と、前記映像コンテンツを表示する第２の表示領域とを有する表示画面を出力し、
制御部により、前記所定の通知情報が取得されたとき、前記第１の表示領域から前記第２の表示領域への前記操作権の変更又は非変更のいずれかを問い合わせるメッセージを前記表示画面に表示させる、
放送受信方法。
【発明の詳細な説明】
【技術分野】
【０００１】
本発明の実施形態は、放送受信装置及び放送受信方法に関する。
【背景技術】
【０００２】
従来、放送受信装置では、受信中の放送番組において、視聴者参加型コーナーが開始される旨を通知する所定の通知情報を受信すると、ユーザが操作できるように、所定の通知情報に対応付けられた操作対象画面に切替えを行う技術がある。
【０００３】
ユーザは、放送番組の視聴中又はアプリケーションの使用中等に操作対象画面の切替えを望まない場合もあり、このような場合に所定の通知情報の受信に応じて操作対象画面が切り替わると、煩わしさを感じることがある。
【先行技術文献】
【特許文献】
【０００４】
【特許文献１】特開２０１７−６９７２８号公報
【発明の概要】
【発明が解決しようとする課題】
【０００５】
実施形態は、表示画面に複数の表示領域を設けることができ、所定の通知情報の受信に応じた表示領域間の操作権の切替えの煩わしさを軽減させることができる、放送受信装置及び放送受信方法を提供することを目的とする。
【課題を解決するための手段】
【０００６】
実施形態の放送受信装置は、信号処理部、映像音声出力部及び制御部を有する。信号処理部は、放送信号から映像コンテンツ及び所定の通知情報を取得する。映像音声出力部は、ユーザの指示入力操作の操作権が割り当てられた第１の表示領域と、前記映像コンテンツを表示する第２の表示領域とを有する表示画面を出力する。制御部は、前記所定の通知情報が取得されたとき、前記第１の表示領域から前記第２の表示領域への前記操作権の変更又は非変更のいずれかを問い合わせるメッセージを前記表示画面に表示させる。
【図面の簡単な説明】
【０００７】
【図１】実施形態に関わる、放送受信装置の構成の一例を示すブロック図である。
【図２】実施形態に関わる、放送受信装置の表示画面の一例を示す図である。
【図３】実施形態に関わる、放送受信装置の設定情報の一例を説明するための図である。
【図４】実施形態に関わる、放送受信装置の操作権切替え判定処理の一例を示すフローチャートである。
【図５】実施形態に関わる、放送受信装置の設定情報の変更処理の一例を示すフローチャートである。
【図６】実施形態に関わる、放送受信装置の表示画面の一例を示す図である。
【図７】実施形態に関わる、放送受信装置の表示画面の一例を示す図である。
【図８】実施形態に関わる、放送受信装置の表示画面の一例を示す図である。
【発明を実施するための形態】
【０００８】
（実施形態）
以下、図面を参照して実施形態を説明する。
【０００９】
（構成）
図１は、実施形態に関わる、放送受信装置１の構成の一例を示すブロック図である。
【００１０】
図１に示すように、放送受信装置１は、放送受信部１１、ＣＡＳモジュール２１、信号処理部３１、操作部４１、指示信号受信部５１、インターフェイス（以下「Ｉ／Ｆ」という）６１、映像音声出力部７１、及び、制御部８１を有する。
【００１１】
放送受信部１１は、地上デジタル放送、ＢＳ放送、ＣＳ放送、高度ＢＳ放送及び高度広帯域ＣＳ放送等の放送信号を受信し、放送信号の中からユーザの所望のチャンネルの映像信号、音声信号及び制御情報を抽出して信号処理部３１に出力する。放送受信部１１は、入力端子１２、チューナー１３及び復調器１４を有する。
【００１２】
入力端子１２は、アンテナＡｎｔに接続され、アンテナＡｎｔによって受信した放送信号をチューナー１３に供給する。なお、図１ではアンテナＡｎｔが模式的に１つ表されるが、アンテナＡｎｔは、受信する放送信号に応じ、複数設けられる。
【００１３】
チューナー１３は、放送受信部１１内に１又は複数設けられる。チューナー１３は、制御部８１の制御の下、放送信号の中からユーザの所望のチャンネルを選局し、選局された放送信号を復調器１４に出力する。
【００１４】
復調器１４は、チューナー１３から入力された放送信号を復調してＴＬＶストリーム（Ｔｙｐｅ  Ｌｅｎｇｔｈ  Ｖａｌｕｅ）に変換し、信号処理部３１に出力する。地上デジタル放送においては、復調器１４は、復調処理によって放送信号をトランスポートストリームに変換し、信号処理部３１に出力する。復調器１４は、送信時の変調方式に対応する復調方式で復調する。
【００１５】
ＣＡＳモジュール２１は、制御部８１の制御の下、ＴＬＶストリームをデスクランブルするための鍵情報を信号処理部３１に出力する回路である。
【００１６】
信号処理部３１は、ＴＬＶストリームのデスクランブル及びＴＬＶ／ＭＭＴ分離処理を行い、各種情報を取得する回路である。より具体的には、信号処理部３１は、ＣＡＳモジュール２１から入力された鍵情報に基づいて、復調器１４から入力されたＴＬＶストリームをデスクランブルする。続いて、信号処理部３１は、デスクランブルしたＴＬＶストリームに基づいて、ＴＬＶ／ＭＭＴ分離処理によって映像信号、音声信号、字幕、文字スーパー、アプリケーションデータ及び制御情報を分離する。信号処理部３１は、高能率符号化された映像信号及び音声信号をデコードし映像音声出力部７１に出力する。また、信号処理部３１は、字幕、文字スーパー、アプリケーションデータ及び制御情報を制御部８１に出力する。映像コンテンツの録画をするとき、信号処理部３１は、制御部８１を介し、映像信号及び音声信号を図示しない内部記憶装置又は外部記憶装置Ｓｄのいずれかに出力してもよい。
【００１７】
放送信号の送信者は、番組放送中に視聴者参加型コーナーを開始するとき、放送信号の制御情報に、視聴者参加型コーナーが開始される旨を通知する所定の通知情報を含めることができる。制御情報に所定の通知情報が含まれる放送信号を受信すると、信号処理部３１は、ＴＬＶ／ＭＭＴ分離処理によってＴＬＶストリームから所定の通知情報を含む制御情報を分離し、制御部８１に出力する。すなわち、信号処理部３１は、放送信号から映像コンテンツ及び所定の通知情報を取得する。
【００１８】
操作部４１は、放送受信装置１に設けられ、スイッチ又はボタン等によって電源のオン／オフ、チャンネル切替え等の各種の指示入力ができるように構成される。指示入力があると、操作部４１は、指示信号を制御部８１に出力する。
【００１９】
指示信号受信部５１は、外部のリモートコントローラＲｃから指示信号を受信する回路である。ユーザの指示入力があると、リモートコントローラＲｃは、例えば赤外線によって指示信号受信部５１に指示信号を出力する。リモートコントローラＲｃから指示信号の入力があると、指示信号受信部５１は、制御部８１に指示信号を出力する。
【００２０】
Ｉ／Ｆ６１は、外部装置を接続する回路である。Ｉ／Ｆ６１は、制御部８１と接続され、制御部８１の制御の下、Ｉ／Ｆ６１に接続された外部装置との情報の入出力を行う。Ｉ／Ｆ６１は、カードＩ／Ｆ６２、通信Ｉ／Ｆ６３、ＵＳＢＩ／Ｆ６４、ＨＤＭＩＩ／Ｆ６５を有する。
【００２１】
カードＩ／Ｆ６２は、カードホルダ６２ａに保持されたＣＡＳカードＣｄ等のカードから情報の読込みを行う。
【００２２】
通信Ｉ／Ｆ６３は、電話線及びＬＡＮケーブル等の通信ケーブルが接続可能なネットワーク接続端子と接続され、インターネット等のネットワークを介してサーバＳｖと通信を行う。例えば、制御部８１が通信Ｉ／Ｆ６３を介して放送信号の送信者のサーバＳｖと通信を行うことにより、ユーザは、番組の視聴者参加型コーナーにおいて、送信者に各種情報を送信可能である。なお、通信Ｉ／Ｆ６３は、有線通信に限定されず、無線通信可能に構成してもよい。
【００２３】
ＵＳＢＩ／Ｆ６４は、ＵＳＢ接続によって外部装置を接続する。ＵＳＢＩ／Ｆ６４には、例えば、外部記憶装置Ｓｄが接続される。ＵＳＢＩ／Ｆ６４には、図示しないメモリカード等の外部装置が接続されてもよい。
【００２４】
ＨＤＭＩＩ／Ｆ６５は、ＨＤＭＩ（登録商標）接続によって外部装置を接続する。ＨＤＭＩＩ／Ｆ６５には、例えば、録画再生装置Ｒｄ、又は、図示しない映像出力装置が接続される。
【００２５】
映像音声出力部７１は、映像信号及び音声信号に基づいて、映像コンテンツを出力する回路である。映像音声出力部７１は、ＯＳＤ信号生成部７２、グラフィック処理部７３、映像処理部７４、映像表示部７５、音声処理部７６、及び、スピーカ７７を有する。
【００２６】
ＯＳＤ信号生成部７２は、制御部８１の制御の下、映像信号に重畳する文字情報を生成し、グラフィック処理部７３に出力する。
【００２７】
グラフィック処理部７３は、信号処理部３１から入力された映像信号と、ＯＳＤ信号生成部７２から入力された文字情報やデータ放送等により作成されたグラフィックとを合成し、映像信号を映像処理部７４に出力する。
【００２８】
図２は、実施形態に関わる、放送受信装置１の表示画面Ｄの一例を示す図である。
【００２９】
図２に示すように、映像処理部７４は、グラフィック処理部７３から入力された映像信号に基づいて、表示画面Ｄを生成して映像表示部７５に出力する。グラフィック処理部７３から複数の映像コンテンツの映像信号が入力されると、映像処理部７４は、制御部８１の制御の下、複数の映像の各々の表示サイズを調整し、表示領域Ｄ１、Ｄ２を表示画面Ｄに設ける。表示領域Ｄ１、Ｄ２は、例えば、ピクチャ・イン・ピクチャ方式又はピクチャ・アウト・ピクチャ方式のいずれかによって表示画面Ｄに配置される。図２の例では、表示画面Ｄを横方向に２分し、一方に表示領域Ｄ１が配置され、他方に表示領域Ｄ２が配置される。
【００３０】
ユーザの指示入力操作の操作権は、表示領域Ｄ１、Ｄ２のうち、いずれか一方に割り当てられる。操作権は、ユーザの指示入力に応じて、表示領域Ｄ１、Ｄ２のいずれかに変更可能である。
【００３１】
例えば、ユーザが、表示画面Ｄの全体に映像コンテンツを表示させて視聴しているとき、アプリケーションを起動させると、表示画面Ｄに表示領域Ｄ１、Ｄ２が設けられ、例えば操作権が割り当てられたアプリケーション画像が表示領域Ｄ１に表示され、操作権が割り当てられない受信した映像コンテンツが表示領域Ｄ２に表示される。
【００３２】
映像表示部７５は、ＬＣＤパネル又はＯＬＥＤパネル等の表示パネルを有し、映像処理部７４から入力された表示画面Ｄを表示する。
【００３３】
音声処理部７６は、信号処理部３１及び制御部８１から入力された音声信号に高音質化処理や増幅処理等の処理を施した後、スピーカ７７に出力する。複数の映像コンテンツの音声信号が入力されると、音声処理部７６は、制御部８１の制御の下、複数の映像コンテンツのいずれか１つ又は全ての音声信号に高音質化処理や増幅処理等の処理を施す。
【００３４】
スピーカ７７は、音声処理部７６から入力された音声信号に基づき、音声を出力する。
【００３５】
図３は、実施形態に関わる、放送受信装置１の設定情報Ｒの一例を説明するための図である。
【００３６】
制御部８１は、放送受信装置１内の各部を制御する回路である。制御部８１は、プロセッサ８２及びメモリ８３を有する。制御部８１の機能は、プロセッサ８２がメモリ８３に記憶された各種プログラム及びデータを読み込み、実行することによって実現される。制御部８１は、メモリ８３に記憶された各種のアプリケーションも実行可能である。なお、制御部８１には、さらにＨＤＤ等の内部記憶装置が設けられてもよい。
【００３７】
メモリ８３は、例えば、フラッシュＲＯＭ等の読み書き可能な記憶素子を有する。メモリ８３には、放送受信装置１上において実行される各種のアプリケーションのプログラムが記憶される。
【００３８】
また、図３に示すように、メモリ８３には、メッセージＭｓ（図６）の表示の有効／無効、表示対象の判別情報、及び、操作権自動変更の有効／無効を含む、設定情報Ｒも記憶される。設定情報Ｒは、ユーザの指示入力によって設定可能である。
【００３９】
設定情報Ｒにおいて、メッセージＭｓの表示を有効に設定すると、後述する操作権切替え判定処理の判定結果に応じてメッセージＭｓが表示可能な状態にされる。一方、メッセージＭｓの表示を無効に設定すると、メッセージＭｓの表示はされない。
【００４０】
メッセージＭｓは、操作権の変更をユーザに問い合わせるために表示される。メッセージＭｓが表示されると、ユーザはメッセージＭｓに応答するための指示入力が可能になる。メッセージＭｓは、予めメモリ８３に記憶されてもよいし、所定の通知情報に含まれる文字情報に基づいて生成されてもよい。
【００４１】
表示対象の判別情報は、メッセージＭｓの表示対象の映像コンテンツを判別する情報であり、チャンネル又は番組等によって設定される。図２の例では、判別情報は、全ての映像コンテンツを表示対象とする「全部」、又は、一部の映像コンテンツを表示対象とする「一部」のいずれかに設定可能である。判別情報が「一部」に設定されたとき、判別情報は、さらに、チャンネルＸ１、Ｘ２・・・、番組Ｙ１、Ｙ２・・・等、チャンネル又は番組等によって表示対象の映像コンテンツを設定可能である。なお、判別情報は、チャンネル又は番組による設定に限定されず、他の条件によって設定されてもよい。例えば、判別情報は、曜日又は番組開始時刻等によって設定されてもよい。
【００４２】
操作権自動変更は、有効に設定すると、所定の通知情報を受信し、かつメッセージＭｓを表示しない場合に、操作権を変更する。
【００４３】
また、メモリ８３には、放送受信装置１内の各部を制御するプログラムの他、タイマＴ、メッセージ表示判定部Ｐ１、対象判定部Ｐ２、録画再生判定部Ｐ３、非表示期間判定部Ｐ４、操作無効期間判定部Ｐ５、マーク表示部Ｐ６、操作権変更判定部Ｐ７、非表示設定指示判定部Ｐ８、連続非変更指示判定部Ｐ９、及び、連続指示保留判定部Ｐ１０のプログラムも記憶される。
【００４４】
タイマＴは、プロセッサ８２の指示に応じて動作を開始し、動作の開始から経過した時間を出力する。
【００４５】
メッセージ表示判定部Ｐ１は、メモリ８３に記憶された設定情報Ｒに基づいて、メッセージＭｓの表示が有効に設定されているか否かを判定する。
【００４６】
対象判定部Ｐ２は、判別情報に基づいて、映像音声出力部７１によって出力されている映像コンテンツが、メッセージＭｓの表示対象に設定されているか否かを判定する。制御部８１は、判別情報に基づいて、映像コンテンツがメッセージＭｓの表示対象ではないと判定するとき、表示画面ＤのメッセージＭｓを非表示にする。
【００４７】
録画再生判定部Ｐ３は、映像音声出力部７１によって出力されている映像コンテンツが、録画を再生したものであるか否かを判定する。制御部８１は、表示領域Ｄ２に録画を再生した映像コンテンツが出力されているとき、メッセージＭｓを非表示にする。
【００４８】
非表示期間判定部Ｐ４は、メッセージＭｓの非表示期間内であるか否かを判定する。非表示期間は、ユーザによる操作権の非変更の指示入力があった時刻から第１所定時間が経過するまでの期間である。制御部８１は、非表示期間判定部Ｐ４の処理により、操作権の非変更の指示入力があった時刻から第１所定時間が経過するまで、ユーザが操作権の非変更を望んでいると推定し、操作権の非変更の指示入力があった時刻から第１所定時間が経過するまで、メッセージＭｓを非表示にする。
【００４９】
第１所定時間は、例えば、視聴中の番組が他の番組に変更されるまでの時間、視聴中のチャンネルが他のチャンネルに変更されるまでの時間、電源オフ又はスタンバイにされるまでの時間等、ユーザに煩わしさを感じさせないように予め設定される。
【００５０】
操作無効期間判定部Ｐ５は、操作無効期間内にあるか否かを判定する。操作無効期間は、メッセージＭｓを表示した時刻から第２所定時間が経過するまでの期間である。制御部８１は、メッセージＭｓを表示した時刻から第２所定時間が経過するまで、指示入力操作を無効にする。
【００５１】
第２所定時間は、メッセージＭｓが表示されたとき、例えばアプリケーションを操作中のユーザが、誤ってメッセージＭｓに指示入力しないように、経験的又は実験的に設定される。第２所定時間は、例えば、１秒である。
【００５２】
マーク表示部Ｐ６は、視聴者参加型コーナーが行われている間、視聴者参加型コーナーに参加可能であることを示すマークＭｋを操作権が割り当てられていない表示領域Ｄ２の近傍に配置する。マーク表示部Ｐ６は、放送信号の送信者によって所定の間隔で所定の通知情報が送信されているとき、所定の通知情報を受信している間、マークＭｋを表示領域Ｄ２の近傍に表示するように構成してもよいし、放送信号又はサーバＳｖから視聴者参加型コーナーの終了の指示を受信するまで表示領域Ｄ２の近傍に表示するように構成してもよい。マークＭｋが表示されると、ユーザは、視聴者参加型コーナーに参加可能であることを認識することができ、操作部４１又はリモートコントローラＲｃによって操作権を表示領域Ｄ２に変更することができる。
【００５３】
操作権変更判定部Ｐ７は、設定情報Ｒに基づいて、操作権を変更するか否かを判定する。制御部８１は、所定の通知情報が取得され、かつメモリ８３から読み込んだ設定情報Ｒに基づいて、操作権の変更が有効であると判定するとき、操作権を指示入力に応じた表示領域Ｄ１、Ｄ２に変更する。例えば、制御部８１は、設定情報Ｒにおいて操作権自動変更が有効であるとき、メッセージＭｓが非表示であっても、操作権を変更する。
【００５４】
非表示設定指示判定部Ｐ８は、ユーザによる次回以降のメッセージＭｓの非表示設定が指示入力されているか否かを判定する。制御部８１は、メッセージＭｓの非表示設定の指示入力があるとき、設定情報ＲにおけるメッセージＭｓの表示を無効に設定する。
【００５５】
連続非変更指示判定部Ｐ９は、ユーザによって操作権の非変更の指示入力が第１所定回数連続して行われているか否かを判定する。第１所定回数は、ユーザが次回以降も操作権の変更を望まないと推定できるように、経験的又は実験的に設定される。制御部８１は、操作権の非変更の指示入力が第１所定回数連続して行われているとき、設定情報ＲにおけるメッセージＭｓの表示を無効に設定する。
【００５６】
連続指示保留判定部Ｐ１０は、終了ボタンＭ４の指示入力等があり、第２所定回数連続して操作権の変更及び非変更の指示が保留されているか否かを判定する。第２所定回数は、ユーザが次回以降も操作権の変更を行わないと推定できるように、経験的又は実験的に設定される。制御部８１は、メッセージＭｓに応答したユーザの指示入力が第２所定回数連続して操作権の変更及び非変更のいずれでもないとき、設定情報ＲにおけるメッセージＭｓの表示を無効に設定する。
【００５７】
すなわち、映像音声出力部７１は、ユーザの指示入力操作の操作権が割り当てられた第１の表示領域と、映像コンテンツを表示する第２の表示領域とを有する表示画面Ｄを出力する。制御部８１は、所定の通知情報が取得されたとき、第１の表示領域から第２の表示領域への操作権の変更又は非変更のいずれかを問い合わせるメッセージＭｓを表示画面Ｄに表示させる。より具体的には、制御部８１は、所定の通知情報が取得され、かつメッセージＭｓの表示が有効に設定されているとき、メッセージＭｓを表示画面Ｄに表示させる。メモリ８３は、メッセージＭｓの表示の有効又は無効のいずれか一方を含む設定情報Ｒを記憶し、メッセージＭｓの表示対象の映像コンテンツを判別する判別情報も記憶し、操作権の変更の有効又は無効のいずれか一方を含む設定情報Ｒも記憶する。
【００５８】
（動作）
次に、実施形態に係る放送受信装置１の動作について説明をする。
【００５９】
放送受信装置１を起動し、アンテナＡｎｔによって放送信号を受信すると、放送受信部１１は、ユーザの所望のチャンネルの放送信号を復調し、ＴＶＬストリームを信号処理部３１に出力する。信号処理部３１は、ＣＡＳモジュール２１から鍵情報を取得し、ＴＶＬストリームをデスクランブルし、ＴＬＶ／ＭＭＴ分離処理によって映像信号、音声信号及び制御情報を分離し、デコードした映像信号を映像処理部７４に出力し、音声信号を音声処理部７６に出力し、制御情報を制御部８１に出力する。映像処理部７４は、映像信号に基づいて表示画面Ｄを生成し、映像表示部７５に表示させる。音声処理部７６は、音声信号に高音質化処理や増幅処理等の処理を施した後、スピーカ７７から出力させる。
【００６０】
ユーザがリモートコントローラＲｃ又は操作部４１のいずれかによってアプリケーション起動の指示入力をすると、制御部８１は、メモリ８３からアプリケーションのプログラムを読み込み、実行を開始する。制御部８１は、２画面表示を指示する指示信号を映像処理部７４に送信する。映像処理部７４は、放送受信部１１によって受信した映像コンテンツと、制御部８１から入力されたアプリケーション画像との各々の表示サイズを調整して表示画面Ｄ内の表示領域Ｄ１、Ｄ２の各々に配置する。図２の例では、アプリケーション画像が表示領域Ｄ１に表示され、受信した映像コンテンツが表示領域Ｄ２に表示される。
【００６１】
表示画面Ｄに表示領域Ｄ１、Ｄ２が設けられると、音声処理部７６は、ユーザの指示入力に応じ、表示領域Ｄ１、Ｄ２のいずれかの音声を出力する。
【００６２】
また、表示画面Ｄに表示領域Ｄ１、Ｄ２が設けられると、初めに放送受信部１１によって受信した映像コンテンツを表示している表示領域Ｄ２に操作権が割り当てられる。ユーザの指示入力によって操作権が変更されると、図２に示すように、操作権は表示領域Ｄ１に変更され、操作権があることを示す操作権画像Ｏｐが表示される。なお、この実施形態では操作権画像Ｏｐとして表示領域Ｄ１の外側に枠の画像を表示しているが、本発明はこれに限定されない。例えば表示領域Ｄ１の上部に操作権があることを識別可能な文字や画像等を表示するようにしてもよい。また、表示画面Ｄの外側の左右にＬＥＤ等のインジケータを設け、このインジケータにより表示領域Ｄ１、Ｄ２のどちらに操作権があるか識別できるようにしてもよい。
【００６３】
図４は、実施形態に関わる、放送受信装置１の操作権切替え判定処理の一例を示すフローチャートである。図５は、実施形態に関わる、放送受信装置１の設定情報Ｒの変更処理の一例を示すフローチャートである。図６〜図８は、実施形態に関わる、放送受信装置１の表示画面Ｄの一例を示す図である。
【００６４】
所定の通知情報、例えば視聴者参加型コーナーが開始される旨を通知する通知情報を受信したか否かを判定する（Ｓ１）。制御部８１は、操作権が割り当てられていない表示領域Ｄ２の映像コンテンツにおいて、信号処理部３１から入力された制御情報内に所定の通知情報があるか否かを判定する。所定の通知情報があるまでＳ１の処理が繰り返され（Ｓ１：ＮＯ）、所定の通知情報があると（Ｓ１：ＹＥＳ）、処理は、Ｓ２に進む。
【００６５】
設定情報Ｒを読み込む（Ｓ２）。メモリ８３から設定情報Ｒが、読み込まれる。
【００６６】
メッセージＭｓの表示が有効に設定されているか否かを判定する（Ｓ３）。制御部８１は、Ｓ２において読み込んだ設定情報Ｒに基づいて、メッセージＭｓの表示が有効であるか否かを判定する。メッセージＭｓの表示が有効であるとき（Ｓ３：ＹＥＳ）、処理はＳ４に進む。一方、メッセージＭｓの表示が無効であるとき（Ｓ３：ＮＯ）、処理は、Ｓ１０に進む。
【００６７】
表示対象の映像コンテンツであるか否かを判定する（Ｓ４）。このＳ４では、例えば、特定のジャンルの番組であるか否かを判定し、特定のジャンルの番組のときＳ７等のメッセージを表示する。制御部８１は、Ｓ２において読み込んだ設定情報Ｒに基づいて、映像表示部７５に表示している映像コンテンツがメッセージＭｓの表示対象に含まれるか否かを判定する。まず、制御部８１は、信号処理部３１から入力された制御情報から受信中の映像コンテンツのチャンネル及び番組名を取得する。続いて、制御部８１は、設定情報Ｒに含まれる表示対象の判別情報に基づいて、映像コンテンツが表示対象に含まれるか否かを判定する。映像コンテンツが表示対象に含まれるとき（Ｓ４：ＹＥＳ）、処理は、Ｓ５に進む。一方、映像コンテンツが表示対象に含まれないとき、（Ｓ４：ＮＯ）、処理は、Ｓ１０に進む。
【００６８】
録画再生であるか否かを判定する（Ｓ５）。制御部８１は、映像音声出力部７１によって出力されている映像コンテンツが、録画を再生したものであるか否かを判定する。映像コンテンツが録画を再生したものでないとき（Ｓ５：ＮＯ）、処理はＳ６に進む。一方、映像コンテンツが録画を再生したものであるとき（Ｓ５：ＹＥＳ）、処理は、Ｓ１０に進む。
【００６９】
非表示期間内であるか否かを判定する（Ｓ６）。Ｓ６は、１巡目と２巡目以降で処理が異なり、１巡面では、処理はスキップする。２巡目以降では、制御部８１は、後述するＳ１０において、操作権の非変更の指示入力に応じて動作を開始したタイマＴから、経過時間を読み込み、操作権の非変更の指示入力があった時刻から第１所定時間が経過しているか否かを判定する。第１所定時間が経過しているとき（Ｓ６：ＮＯ）、処理は、Ｓ７に進む。一方、第１所定期間が経過していないとき（Ｓ６：ＹＥＳ）、処理は、Ｓ１０に進む。
【００７０】
メッセージＭｓを表示する（Ｓ７）。制御部８１は、ＯＳＤ信号生成部７２、グラフィック処理部７３及び映像処理部７４を介して映像表示部７５が表示する表示画面ＤにメッセージＭｓを表示させる。図５に例示するようにメッセージＭｓは、「まもなく左側画面のイベント（番組）にて視聴者参加型コーナーが開始されます。操作権を左側の画面に変更しますか？」のように表示される。また、メッセージＭｓは、操作権の変更を指示入力する「はい」ボタンＭ１、操作権の非変更を指示入力する「いいえ」ボタンＭ２、「次回以降表示しない」の文字と次回以降の非表示設定を指示入力するチェックボックスＭ３、及び、指示入力を保留してメッセージＭｓを消すための終了ボタンＭ４を有する。
【００７１】
Ｓ７では、メッセージＭｓを表示した後、第２所定時間を計測できるように、タイマＴの動作を開始させる。
【００７２】
操作権無効期間内であるか否かを判定する（Ｓ８）。制御部８１は、Ｓ７において、メッセージＭｓの表示に応じて動作を開始したタイマＴから、経過時間を読み込み、メッセージＭｓの表示をした時刻から第２所定時間が経過しているか否かを判定する。第２所定時間が経過するまでＳ８が繰り返され（Ｓ８：ＹＥＳ）、第２所定時間が経過すると（Ｓ８：ＮＯ）、処理は、Ｓ９に進む。
【００７３】
ユーザによる指示入力があるか否かを判定する（Ｓ９）。制御部８１は、「はい」ボタンＭ１、「いいえ」ボタンＭ２、終了ボタンＭ４の指示入力があるか否かを判定する。指示入力があるまでＳ９の処理は繰り返され（Ｓ９：ＮＯ）、指示入力があると、処理はＳ１０に進む。
【００７４】
操作権を変更するか否かを判定する（Ｓ１０）。制御部８１は、設定情報Ｒ、及び、Ｓ９におけるユーザの指示入力に基づいて、操作権を変更するか否か判定する。ユーザの指示入力が「はい」ボタンＭ１による操作権の変更の指示入力であるとき（Ｓ１０：ＹＥＳ）、処理は、Ｓ１１に進む。一方、ユーザの指示入力が「いいえ」ボタンＭ２、終了ボタンＭ４のいずれかであるとき、第１所定時間を計測できるようにタイマＴの動作を開始し、処理はＳｍに進む。
【００７５】
操作権を変更する（Ｓ１１）。制御部８１は、操作権を現在の表示領域から、視聴者参加型コーナーが始まる方の表示領域に変更し、操作権画像Ｏｐを操作権が割り当てられた表示領域に移動させる。図７は、操作権を表示領域Ｄ１（図６）から表示領域Ｄ２に変更した例である。
【００７６】
図４のＳｍでは、マークＭｋを表示するか否かを判定する。マークＭｋを表示するか否かは、予め設定され、メモリ８３に記憶される。例えば、マークＭｋの表示をユーザが望まないときには、ユーザの指示入力によってマークＭｋが非表示になるように設定してもよい。マークＭｋを表示するとき（Ｓｍ：ＹＥＳ）、処理はＳｎに進む。一方、マークＭｋを表示しないとき（Ｓｍ：ＮＯ）、処理はＳ１２に進む。
【００７７】
図４のＳｎではマークＭｋを表示する（図８）。制御部８１は、ユーザにユーザ参加型コーナーに参加可能であることをユーザに知らせることができるように、ＯＳＤ信号生成部７２、グラフィック処理部７３及び映像処理部７４を介し、映像表示部７５に表示される表示画面Ｄの方にマークＭｋを表示させる。マークＭｋを表示した後、処理は、Ｓ１２に進む。図８は、操作権が表示領域Ｄ１に割り当てられ、表示領域Ｄ２の映像コンテンツの視聴者参加型コーナーに参加可能であることを示すマークＭｋが表示された例である。
【００７８】
設定情報Ｒの変更処理を行う（Ｓ１２）。制御部８１は、図５のＳ１２ａ〜Ｓ１２ｄに示す設定情報Ｒの変更処理を行う。
【００７９】
非表示設定指示入力があるか否かを判定する（Ｓ１２ａ）。制御部８１は、非表示設定指示入力があるか否かを判定する。Ｓ９におけるチェックボックスＭ３のユーザの指示入力に基づいて、次回以降の非表示設定の指示入力がされているとき（Ｓ１２ａ：ＹＥＳ）、処理は、Ｓ１２ｄに進む。一方、次回以降の非表示設定の指示入力がされていないとき（Ｓ１２ａ：ＮＯ）、処理は、Ｓ１２ｂに進む。
【００８０】
操作権の非変更の指示入力が連続しているか否かを判定する（１２ｂ）。制御部８１は、Ｓ９において、「いいえ」ボタンＭ２が第１所定回数連続して指示入力されているか否かを判定する。「いいえ」ボタンＭ２が第１所定回数連続して指示入力されているとき（Ｓ１２ｂ：ＹＥＳ）、処理は、Ｓ１２ｄに進む。一方、「いいえ」ボタンＭ２が第１所定回数連続して指示入力されていないとき（Ｓ１２ｂ：ＮＯ）、処理は、Ｓ１２ｃに進む。
【００８１】
操作権の変更及び非変更の指示の保留が連続しているか否かを判定する（Ｓ１２ｃ）。制御部８１は、Ｓ９において、終了ボタンＭ４が第２所定回数連続して指示入力されているか否かを判定する。終了ボタンＭ４が第２所定回数連続して指示入力されているとき（Ｓ１２ｃ：ＹＥＳ）、処理は、Ｓ１２ｄに進む。一方、終了ボタンＭ４が第２所定回数連続して指示入力されていないとき（Ｓ１２ｃ：ＮＯ）、設定情報Ｒの変更処理及び操作権切替え判定処理は終了する。
【００８２】
Ｓ１２ｄでは、メモリ８３に記憶された設定情報ＲにおけるメッセージＭｓの表示を無効に変更する。Ｓ１２ｄの処理を行った後、設定情報Ｒの変更処理及び操作権切替え判定処理は終了する。
【００８３】
Ｓ１〜Ｓ１２ｄの処理が、操作権切替え判定処理を構成する。Ｓ３の処理が、メッセージ表示判定部Ｐ１の処理を構成する。Ｓ４の処理が、対象判定部Ｐ２の処理を構成する。Ｓ５の処理が、録画再生判定部Ｐ３の処理を構成する。Ｓ６の処理が、非表示期間判定部Ｐ４の処理を構成する。Ｓ８の処理が、操作無効期間判定部Ｐ５の処理を構成する。Ｓ１０の処理が、操作権変更判定部Ｐ７の処理を構成する。ＳｍとＳｎの処理が、マーク表示部Ｐ６の処理を構成する。Ｓ１２ａの処理が、非表示設定指示判定部Ｐ８の処理を構成する。Ｓ１２ｂの処理が、連続非変更指示判定部Ｐの処理を構成する。Ｓ１２ｃの処理が、連続指示保留判定部Ｐ１０の処理を構成する。
【００８４】
すなわち、放送受信方法は、信号処理部３１により、放送信号から映像コンテンツ及び所定の通知情報を取得し、映像音声出力部７１により、ユーザの指示入力操作の操作権が割り当てられた第１の表示領域と、映像コンテンツを表示する第２の表示領域とを有する表示画面Ｄを出力し、制御部８１により、所定の通知情報が取得されたとき、第１の表示領域から第２の表示領域への操作権の変更又は非変更のいずれかを問い合わせるメッセージＭｓを表示画面Ｄに表示させる。
【００８５】
これにより、放送受信装置１は、ユーザの指示入力に基づいて、ユーザがメッセージＭｓの表示を望まない場合を推定し、ユーザに煩わしさを感じさせないようにメッセージＭｓを非表示にする。
【００８６】
実施形態によれば、放送受信装置１は、表示画面Ｄに複数の表示領域Ｄ１、Ｄ２を設けることができ、所定の通知情報の受信に応じた表示領域Ｄ１、Ｄ２間の操作権の切替えの煩わしさを軽減させることができる。
【００８７】
なお、実施形態では、表示画面Ｄは、２つの表示領域Ｄ１、Ｄ２を有する例を説明したが、表示領域は２つに限定されない。表示領域は、３つ以上であってもよい。
【００８８】
なお、実施形態では、表示領域Ｄ１にアプリケーション画像が表示され、表示領域Ｄ２に受信した映像コンテンツが表示される例を説明したが、これに限定されない。例えば、表示領域Ｄ１、Ｄ２の各々に受信した映像コンテンツが表示されてもよい。また、アプリケーション画像は、操作メニュー等のＧＵＩ画像であってもよい。
【００８９】
なお、実施形態では、表示領域Ｄ１に操作権が割り当てられた例を説明したが、逆であっても構わない。例えば、表示領域Ｄ２に操作権が割り当てられ、かつ表示領域Ｄ１に操作権が割り当てられていない状態において、表示領域Ｄ２から表示領域Ｄ１に操作権を切り替えるための、操作権切替え判定処理が行われても構わない。
【００９０】
なお、実施形態では、操作権切替え判定処理が、メッセージ表示判定部Ｐ１、対象判定部Ｐ２、録画再生判定部Ｐ３、非表示期間判定部Ｐ４、操作無効期間判定部Ｐ５、マーク表示部Ｐ６、操作権変更判定部Ｐ７、非表示設定指示判定部Ｐ８、連続非変更指示判定部Ｐ９、及び、連続指示保留判定部Ｐ１０によって構成される例を説明したが、これらの一部によって構成されてもよい。
【００９１】
なお、実施形態では、制御部８１の各処理部の機能は、プログラムを実行することにより実現されるが、各処理部の一部又は全部の機能が、回路により実現されてもよい。
【００９２】
本発明の実施形態を説明したが、これらの実施形態は、例として示したものであり、本発明の範囲を限定することは意図していない。これら新規の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１・・・放送受信装置、１１・・・放送受信部、１２・・・入力端子、１３・・・チューナー、１４・・・復調器、２１・・・ＣＡＳモジュール、３１・・・信号処理部、４１・・・操作部、５１・・・指示信号受信部、６１・・・Ｉ／Ｆ、６２・・・カードＩ／Ｆ、６２ａ・・・カードホルダ、６３・・・通信Ｉ／Ｆ、６４・・・ＵＳＢＩ／Ｆ、６５・・・ＨＤＭＩＩ／Ｆ、７１・・・映像音声出力部、７２・・・ＯＳＤ信号生成部、７３・・・グラフィック処理部、７４・・・映像処理部、７５・・・映像表示部、７６・・・音声処理部、７７・・・スピーカ、８１・・・制御部、８２・・・プロセッサ、８３・・・メモリ、Ａｎｔ・・・アンテナ、Ｃｄ・・・ＣＡＳカード、Ｄ・・・表示画面、Ｄ１、Ｄ２・・・表示領域、Ｍｋ・・・マーク、Ｍ１、Ｍ２、Ｍ４・・・ボタン、Ｍｓ・・・メッセージ、Ｍ３・・・チェックボックス、Ｏｐ・・・操作権画像、Ｐ１・・・メッセージ表示判定部、Ｐ２・・・対象判定部、Ｐ３・・・録画再生判定部、Ｐ４・・・非表示期間判定部、Ｐ５・・・操作無効期間判定部、Ｐ６・・・マーク表示部、Ｐ７・・・操作権変更判定部、Ｐ８・・・非表示設定指示判定部、Ｐ９・・・連続非変更指示判定部、Ｐ１０・・・連続指示保留判定部、Ｒ・・・設定情報、Ｒｃ・・・リモートコントローラ、Ｒｄ・・・録画再生装置、Ｓｄ・・・外部記憶装置、Ｓｖ・・・サーバ、Ｔ・・・タイマ
【図１】
2019103062.tif 000003
【図２】
2019103062.tif 000004
【図３】
2019103062.tif 000005
【図４】
2019103062.tif 000006
【図５】
2019103062.tif 000007
【図６】
2019103062.tif 000008
【図７】
2019103062.tif 000009
【図８】
2019103062.tif 000010